(57)【要約】【課題】安価に製造することが可能であり、外部画像と筆記面の筆記部分とを結合して画像形成できる電子黒板及び電子黒板の画像形成方法を提供する。【解決手段】電子黒板は、筆記した画像を担持する筆記面と、筆記面の画像を読み込む撮像部と、外部機器との通信を行う通信ポートと、記録媒体に画像形成するプリンタと、通信ポートを介して読み込んだ外部画像と筆記面から撮像部を介して読み込んだ筆記面画像とを結合して結合画像を生成し、前記プリンタから結合画像を出力する制御部と、を備える。【選択図】図８
2015039859.tif 000002
【特許請求の範囲】
【請求項１】
筆記した画像を担持する筆記面と、
前記筆記面の画像を読み込む撮像部と、
外部機器との通信を行う通信ポートと、
記録媒体に画像形成するプリンタと、
前記通信ポートを介して読み込んだ外部画像と前記筆記面から前記撮像部を介して読み込んだ筆記面画像とを結合して結合画像を生成し、前記プリンタから前記結合画像を出力する制御部と、
を備える電子黒板。
【請求項２】
情報を入出力する入出力部をさらに備え、
前記入出力部は、
外部画像の印刷位置及び大きさを入力し、
前記制御部は、
前記印刷位置及び前記大きさに基づいて前記プリンタによって画像形成する請求項１記載の電子黒板。
【請求項３】
前記入出力部は、タッチパネルである請求項２記載の電子黒板。
【請求項４】
前記制御部は、
前記結合画像を前記通信ポートに接続された記憶装置に保存する請求項３記載の電子黒板。
【請求項５】
外部画像を外部機器との通信を行う通信ポートを介して読み込み、
筆記面画像を筆記した画像を担持する筆記面から前記筆記面の画像を読み込む撮像部を介して読み込み、
前記外部画像と前記筆記面画像とを結合して結合画像を生成し、
前記結合画像を記録媒体に画像形成するプリンタから前記結合画像を出力する、
電子黒板の画像形成方法。
【請求項６】
外部画像の印刷位置及び大きさを、情報を入出力する入出力部から入力し、
前記印刷位置及び前記大きさに基づいて前記プリンタによって画像形成する
請求項５記載の電子黒板の画像形成方法。
【発明の詳細な説明】
【技術分野】
【０００１】
本発明の実施形態は、電子黒板及び電子黒板の画像形成方法に関する。
【背景技術】
【０００２】
いわゆる電子黒板は、筆記面と、筆記面の画像を読み取る読取部と、読取った画像を記録媒体に画像形成するプリンタと、を備える。
【０００３】
電子黒板の利用者は、電子黒板の筆記面に筆記し、これを読取部に読み取らせてプリンタから出力する。
【０００４】
このような従来の使用方法に加え、最近では電子黒板の筆記面にプロジェクタによって画像を投影し、その画像に書き加えるように筆記する使用方法が行われるようになってきた。
【０００５】
しかし、プロジェクタによって投影された画像は保存方法がなく、電子黒板に印刷指示をしても筆記面に追記した部分しか画像形成できなかった。
【０００６】
この点に関し、筆記面を表裏の電圧変化によって表示可能な部材によって形成し、この部材に外部画像を画像形成し、さらに、表裏の電圧を変化させる専用ペンによって追記し、表裏の電圧変化を読み取る読取装置によって外部画像と追記部分とを読み込み、プリンタによって画像形成する電子黒板が提案されている。
【０００７】
しかし、この技術によっては装置が複雑かつ大型化するため製造コストが上昇し、また画像の解像度を高くすることができない。さらに、この技術によってはカラー画像には対応できない。
【先行技術文献】
【特許文献】
【０００８】
【特許文献１】特開２０００−１６８２９３号公報
【発明の概要】
【発明が解決しようとする課題】
【０００９】
従って、安価に製造することが可能であり、外部画像と筆記面の筆記部分とを結合して画像形成できる電子黒板及び電子黒板の画像形成方法が求められている。
【課題を解決するための手段】
【００１０】
上記の課題を解決するために、筆記した画像を担持する筆記面と、筆記面の画像を読み込む撮像部と、外部機器との通信を行う通信ポートと、記録媒体に画像形成するプリンタと、通信ポートを介して読み込んだ外部画像と筆記面から撮像部を介して読み込んだ筆記面画像とを結合して結合画像を生成し、前記プリンタから結合画像を出力する制御部と、を備える電子黒板を提供する。
【図面の簡単な説明】
【００１１】
【図１】電子黒板の外観斜視図である。
【図２】図１におけるＡＡ線断面図である。
【図３】電子黒板の入出力部付近の拡大図である。
【図４】電子黒板の構成を示すブロック図である。
【図５】外部画像の例を示す図である。
【図６】筆記面画像の例を示す図である。
【図７】結合画像の例を示す図である。
【図８】電子黒板の動作を示すフローチャートである。
【発明を実施するための形態】
【００１２】
以下、電子黒板及び電子黒板の画像形成方法の一実施形態について、図面を用いて詳細に説明する。
【００１３】
本実施形態の電子黒板は、筆記した画像を担持する筆記面と、筆記面の画像を読み込む撮像部と、外部機器との通信を行う通信ポートと、記録媒体に画像形成するプリンタと、通信ポートを介して読み込んだ外部画像と筆記面から撮像部を介して読み込んだ筆記面画像とを結合して結合画像を生成し、前記プリンタから結合画像を出力する制御部と、を備える。
【００１４】
図１は、電子黒板１の外観斜視図である。図１に示すように、電子黒板１は、筆記した画像を担持する筆記面１１と、電源スイッチ１２と、タッチパネル、各種スイッチなどの情報を入出力する装置である入出力部１３と、外部機器との通信を行う通信ポート１４と、記録媒体に画像形成するプリンタ１５と、を備える。
【００１５】
筆記面１１は、シート状でも板状でもよい。板状の場合、撮像部２７は筆記面１１を移動しながら撮像する。以下、筆記面１１がシート状の場合を例に説明する。
【００１６】
入出力部１３は、タッチパネルであることが操作性の面で優れているが、スイッチ類をもちいて構成してもよい。以下、入出力部１３がタッチパネルである場合を例に説明する。
【００１７】
通信ポート１４は、例えばＵＳＢ（Ｕｎｉｖｅｒｓａｌ  Ｓｅｒｉａｌ  Ｂｕｓ）を採用することができるが、これに限られるものではない。
【００１８】
図２は、図１におけるＡＡ線断面図である。図２に示すように、電子黒板１は、無端状のシートにより形成される筆記面１１と、筆記面１１を回転させる駆動ローラ２１及び従動ローラ２２と、筆記面１１に光を照射するライト２４と、筆記面１１が反射したライト２４により照射された光を反射するミラー２５と、反射した光を集光するレンズ２６と、集光された光を電気信号に変換するＣＣＤ(Ｃｈａｒｇｅ  Ｃｏｕｐｌｅｄ  Ｄｅｖｉｃｅ)センサなどの撮像部２７と、を備える。撮像部２７は、モノクロセンサであってもカラーセンサであってもよい。
【００１９】
電子黒板１は、入出力部１３から印刷指示がなされると、ライト２４を点灯し、駆動ローラ２１を駆動させて筆記面１１を回転させる。
【００２０】
電子黒板１は集光された反射光を順次電気信号に変え、２値化して筆記面画像データを生成する。
【００２１】
図３は、電子黒板１の入出力部１３付近の拡大図である。図３に示すように、電子黒板１は、入出力部１３に、外部画像の印字位置を示す印字イメージ欄１３Ａと、外部画像の印刷位置の設定を指示する印刷位置設定ボタン１３Ｂと、外部画像の読み込みを指示する画像読み込みボタン１３Ｃと、外部画像と筆記面画像との結合画像の保存を指示する保存ボタン１３Ｄと、外部画像と筆記面画像との結合画像の画像形成を指示する印刷ボタン１３Ｅと、その他の指示を行う操作ボタン群１３Ｆと、を表示する。
【００２２】
電子黒板１は、画像読み込みボタン１３Ｃが押下されると、読み込みファイルを指定するポップアップ画面を入出力部１３に表示し、このポップアップ画面において指定された外部画像のファイルを読み込む。
【００２３】
外部画像は、通信ポート１４を介して読み込まれる。従って、電子黒板１は通信ポート１４に接続されたＵＳＢメモリなどのリムーバブル記憶媒体、又はパソコンから外部画像を読み込むことができる。
【００２４】
通信ポート１４がＬＡＮポートである場合、電子黒板１はインターネットやサーバから外部画像を取り込むこともできる。
【００２５】
電子黒板１は、読み込んだ外部画像を印字イメージ欄１３Ａに表示する。ユーザは、表示された外部画像を指で操作することにより、位置合わせと大きさ調整を行うことができる。電子黒板１は印字イメージ欄１３Ａに表示する内容を、通信ポート１４を介して接続したパソコンに表示させることができる。
【００２６】
電子黒板１は、印刷位置設定ボタン１３Ｂが押下されると、ユーザによって指定された印刷位置の四隅の座標を記憶することにより、外部画像の位置と大きさとを印刷位置情報４０６Ｄとして記憶する。
【００２７】
電子黒板１は、保存ボタン１３Ｄが押下されると、保存先を指定するポップアップ画面を入出力部１３に表示する。電子黒板１は、保存先が指定されると通信ポート１４を介して結合画像データ４０６Ｃを指定先に保存する。
【００２８】
電子黒板１は、印刷ボタン１３Ｅが押下されると結合画像をプリンタ１５によって画像形成する。なお、電子黒板１は、筆記画面画像のみを画像形成することも、外部画像のみを画像形成することもできる。
【００２９】
図４は、電子黒板１の構成を示すブロック図である。図４に示すように、電子黒板１は、演算装置であるＣＰＵ（Ｃｅｎｔｒａｌ  Ｐｒｏｃｅｓｓｉｎｇ  ｕｎｉｔ）を含む制御部４０１と、入出力部１３と、筆記面１１を駆動させる駆動部４０２と、撮像部２７と、ライト２４を点灯させる照明点灯部４０５と、メモリ、ハードディスクドライブなどの記憶装置を含む記憶部４０６と、通信を行う通信部４０７と、を備える。
【００３０】
記憶部４０６は、外部画像データ４０６Ａと、筆記面１１から読取った画像データである筆記面画像データ４０６Ｂと、結合画像データ４０６Ｃと、外部画像の印刷位置の情報である印刷位置情報４０６Ｄと、を格納する。
【００３１】
外部画像データ４０６Ａと、筆記面画像データ４０６Ｂと、結合画像データ４０６Ｃと、は例えばＴＩＦＦ、ＪＰＥＧ、ＢＭＰなどの形式によって格納されることが望ましい。
【００３２】
通信部４０７は、プリンタ１５のほか、パソコン４０８、ＵＳＢメモリなどの記憶媒体４０９に接続することができる。
【００３３】
図５は、外部画像の例を示す図である。図６は、筆記面画像の例を示す図である。図７は、結合画像の例を示す図である。
【００３４】
図５乃至図７に示すように、電子黒板１は、外部画像と筆記面画像とを結合して結合画像を生成する。
【００３５】
具体的には、電子黒板１は、外部画像データ４０６Ａを１ピクセルごとに読み出し、筆記面画像データ４０６Ｂを１ピクセルごとに読み出し、両者を「ＯＲ」条件により、すなわちいずれかのピクセルが「１」であったら結合画像の当該ピクセルを「１」とすることにより、結合画像を生成する。
【００３６】
なお、電子黒板１は、カラーモードの場合、外部画像と筆記面画像とのいずれを前面に配置するかを選択することができる。
【００３７】
図８は、電子黒板１の動作を示すフローチャートである。図８に示すように、ステップ８０１において、電子黒板１は、画像読み込みボタン１３Ｃが押下されたかを判定する。電子黒板１は、画像読み込みボタン１３Ｃが押下されたと判定した場合、ステップ８０２に進み、押下されていないと判定した場合、ステップ８０１に戻る。
【００３８】
ステップ８０２において、電子黒板１は指定された外部画像のファイルを読み込む。
【００３９】
ステップ８０３において、電子黒板１は読み込んだ外部画像を入出力部１３の印字イメージ欄１３Ａに表示する。
【００４０】
ステップ８０４において、電子黒板１は印刷位置の指定を入出力部１３から入力する。
【００４１】
ステップ８０５において、電子黒板１は印刷位置設定ボタン１３Ｂが押下されたかを判定する。電子黒板１は印刷位置設定ボタン１３Ｂが押下されたと判定した場合、ステップ８０５に進み、押下されていないと判定した場合ステップ８０４に戻る。
【００４２】
ステップ８０６において、電子黒板１は印刷位置を記憶する。
【００４３】
ステップ８０７において、電子黒板１は印刷ボタン１３Ｅが押下されたかを判定する。電子黒板１は印刷ボタン１３Ｅが押下されたと判定した場合、ステップ８０８に進み、押下されていないと判定した場合、ステップ８１１に進む。
【００４４】
ステップ８０８において、電子黒板１は筆記面１１の画像を読み込む。
【００４５】
ステップ８０９において、電子黒板１は、外部画像と筆記面画像とを結合し、結合画像を生成する。
【００４６】
ステップ８１０において、電子黒板１は、結合画像を印刷する。
【００４７】
ステップ８１１において、電子黒板１は保存ボタン１３Ｄが押下されたかを判定する。電子黒板１は保存ボタン１３Ｄが押下されたと判定した場合、ステップ８１２に進み、押下されていないと判定した場合、ステップ８０１に戻る。
【００４８】
ステップ８１２において、電子黒板１は結合画像を指定された場所に保存する。
【００４９】
以上述べたように、本実施形態の電子黒板１は、筆記した画像を担持する筆記面１１と、筆記面１１の画像を読み込む撮像部２７と、情報を入出力する入出力部１３と、外部機器との通信を行う通信ポート１４と、記録媒体に画像形成するプリンタ１５と、通信ポート１４を介して読み込んだ外部画像と筆記面１１から撮像部２７を介して読み込んだ筆記面画像とを結合して結合画像を生成し、プリンタ１５から出力する制御部４０１と、を備える。
【００５０】
従って、本実施形態の電子黒板１は、安価に製造することが可能であり、外部画像と筆記面の筆記部分とを結合して画像形成できるという効果がある。
【００５１】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５２】
１：電子黒板
１１：筆記面
１３：入出力部
１４：通信ポート
１５：プリンタ
【図１】
2015039859.tif 000003
【図２】
2015039859.tif 000004
【図３】
2015039859.tif 000005
【図４】
2015039859.tif 000006
【図５】
2015039859.tif 000007
【図６】
2015039859.tif 000008
【図７】
2015039859.tif 000009
【図８】
2015039859.tif 000010